(57)【特許請求の範囲】
【請求項１】
取水口を上端に開口させた略碗状のトラップ本体と、
環状に平坦面を有し上記取水口の内周よりも内側に突出するように設けられる鍔部と、
該鍔部の上面の直径方向の対向位置に設けられ、上方側且つ内方側に向けて突出した二つの突起部と、
その外周が上記平坦面に載置され、上記取水口を覆うように取設されるヘアキャッチャと、
該ヘアキャッチャに取設された取っ手部と、
を備え、
上記平坦面上で隣り合う上記二つの突起部は、少なくとも一部において下端側の最短距離が上記ヘアキャッチャの直径以上の長さで離間し、且つ上端側の最短距離が上記ヘアキャッチャの直径未満の長さで離間するように配置され、
前記ヘアキャッチャは、前記鍔部に対して斜め上方で前記二つの突起部を結ぶ直線に対して直交する方向からスライド挿入し、その挿入角度を小さくしつつ前記二つの突起部の下端内側を通過しながら前記取水口を覆うように取設されることを特徴とする排水トラップ。
【請求項２】
前記鍔部は、
上下が解放された筒状部と該筒状部上端から外方へ延出する環状部とを有する封水筒の環状部と、
上記トラップ本体に螺刻された雌ねじと螺合する雄ねじが螺刻された雄ねじ部と該雄ねじ部上端から外方へ延出するフランジ部とを有する取付フランジのフランジ部と、
から構成されることを特徴とする請求項１記載の排水トラップ。
【請求項３】
前記二つの突起部及び前記平坦面は、前記封水筒の前記環状部に設けられることを特徴とする請求項２記載の排水トラップ。
【請求項４】
前記取っ手部は、前記ヘアキャッチャの外縁部から外方側に突設して形成され、該取っ手部の底面は、上記二つの突起部の上端側より下方側に配置されることを特徴とする請求項１〜３のいずれかに記載の排水トラップ。
【請求項５】
前記ヘアキャッチャの、前記取っ手部が突設された位置と対向する位置の底面には、上記ヘアキャッチャの入り込みを防止するための、下方に突出したストッパーが設けられるこ
とを特徴とする請求項１〜３のいずれかに記載の排水トラップ。
【請求項６】
前記平坦面は、前記鍔部上面より段落ちして形成されることを特徴とする請求項１〜３のいずれかに記載の排水トラップ。
【請求項７】
前記二つの突起部は、前記封水筒着脱時の取っ手として機能することを特徴とする請求項２〜３のいずれかに記載の排水トラップ。
【発明の詳細な説明】
【技術分野】
【０００１】
本発明は、ユニットバス等の浴室に設置される排水トラップに係り、特に髪の毛等のごみ類を捕集するヘアキャッチャを有する排水トラップに関する。
【背景技術】
【０００２】
浴室の洗い場で使用された水が排水トラップに流入する開口には、髪の毛等のごみ類を捕集するために、網の目状のヘアキャッチャが取り付けられる。
【０００３】
このヘアキャッチャは、目詰まり防止のための清掃が行えるよう着脱可能でなければならない。その一方で、浴槽からの排水時の圧力や洗い場で使用された排水により浮き上がるのを防止できなければならない。
【０００４】
この問題を解決するために、従来、ヘアキャッチャの、通水孔を有する塵捕集部の縁部から外側へ取手を突設し、片手で持つことができるようにし、排水口とこの塵捕集部との間に、塵捕集部の浮上を阻止するためのロツク機構を備え、排水口の周縁段部に塵捕集部の周縁部を載置してヘアキャッチャが装着状態の際に、取手を回動操作することにより塵捕集部をロツク又は解錠できるようにしていた（例えば、特許文献１参照。）。 
しかしながら、ヘアキャッチャを封水筒に位置合わせをして載置させた後に、回転操作してロック／解錠する必要があり煩わしかった。また、ロック機構として、横向き凹溝やこの凹溝に係合する突片が必要となるが、これらは掃除がし難い部分であった。特に、その部分に汚れが溜まると、ロック／解錠が困難となる等の問題があった。さらに、横向き凹溝と突片とが係合しているか否かが目視できないため、うっかりして係合が外れていると、浴槽からの排水等により排水トラップ内の水位が上がった際に、ヘアキャッチャが浮き上がるという問題もあった。
【０００５】
また、封水筒の外縁上端に複数の突起を備えるとともに、ヘアキャッチャには、指先で抓むことができる抓み部と外周部に封水筒の突起に外嵌する欠切部を備え、ヘアキャッチャの抓み部を抓んで持ち上げることにより、ヘアキャッチャの欠切部が封水筒の突起に外嵌された所定の位置から取り外し可能とされる一方、封水筒の突起には、上端に封水筒の中心方向を指向して略水平に突出しヘアキャッチャの欠切部を掛止可能な突起を備え、ヘアキャッチャが突起との外嵌状態から離脱浮遊することを防止した排水トラップがある（例えば、特許文献２参照。）。
【０００６】
このヘアキャッチャは、取り付け時は、封水筒の突起に、ヘアキャッチャの欠切部を上方から押し込んで弾性変形させることにより係止する形態である。しかしながら、この形態では、ヘアキャッチャの欠切部の位置と封水筒の突起の位置とを合わせる必要があり煩わしかった。また、下方に押し付ける必要があるため、封水筒の突起を掴んで係止させたとき、突起が破損してしまう恐れもあり好ましくなかつた。
【０００７】
【特許文献１】特許第３７２８６８８号公報
【特許文献２】特開２００５−３２５５２４号公報
【発明の開示】
【発明が解決しようとする課題】
【０００８】
本発明は、上述した事情を考慮してなされたもので、ヘアキャッチャの取り付け／取り外しが１つの動作でできる排水トラップを提供することを目的とするものである。
【０００９】
本発明の他の目的は、ヘアキャッチャ取付用の突起をなくし、清掃性を向上させた排水トラップを提供することにある。
【課題を解決するための手段】
【００１０】
本発明に係る排水トラップは、上述した課題を解決するために、請求項１に記載したように、取水口を上端に開口させた略碗状のトラップ本体と、環状に平坦面を有し上記取水口の内周よりも内側に突出するように設けられる鍔部と、該鍔部の上面の直径方向の対向位置に設けられ、上方側且つ内方側に向けて突出した二つの突起部と、その外周が上記平坦面に載置され、上記取水口を覆うように取設されるヘアキャッチャと、該ヘアキャッチャに取設された取っ手部と、を備え、上記平坦面上で隣り合う上記二つの突起部は、少なくとも一部において下端側の最短距離が上記ヘアキャッチャの直径以上の長さで離間し、且つ上端側の最短距離が上記ヘアキャッチャの直径未満の長さで離間するように配置され、前記ヘアキャッチャは、前記鍔部に対して斜め上方で前記二つの突起部を結ぶ直線に対して直交する方向からスライド挿入し、その挿入角度を小さくしつつ前記二つの突起部の下端内側を通過しながら前記取水口を覆うように取設されているものである。
【００１１】
ここで、前記鍔部は、好適には、請求項２に記載したように、上下が解放された筒状部と該筒状部上端から外方へ延出する環状部とを有する封水筒の環状部と、上記トラップ本体に螺刻された雌ねじと螺合する雄ねじが螺刻された雄ねじ部と該雄ねじ部上端から外方へ延出するフランジ部とを有する取付フランジのフランジ部とから構成されることが望ましい。
【００１２】
そして、前記少なくとも二つの突起部及び前記平坦面は、好適には、請求項３に記載したように、前記封水筒の前記環状部に設けられてもよい。
【００１５】
さらに、好適には、請求項４に記載したように、前記取っ手部は、前記ヘアキャッチャの外縁部から外方側に突設して形成され、該取っ手部の底面は、上記突起部の上端側より下方側に配置され、或いは、請求項５に記載したように、前記ヘアキャッチャの、前記取っ手部が突設された位置と対向する位置の底面には、上記ヘアキャッチャの入り込みを防止するための、下方に突出したストッパーが設けられる構成とすることができる。
【００１６】
またさらに、前記平坦面は、好適には、請求項６に記載したように、前記鍔部上面より段落ちして形成されることが望ましい。
【００１７】
他方、前記突起部は、好適には、請求項７に記載したように、前記封水筒着脱時の取っ手として機能する構成としてもよい。
【発明の効果】
【００１８】
本発明に係る排水トラップによれば、ヘアキャッチャの取り付け／取り外しを１つの動作ですることができる。
【００１９】
本発明は、ヘアキャッチャ取付用の突起をなくし、清掃性を向上させることができる効果が得られる。
【発明を実施するための最良の形態】
【００２０】
本発明に係る排水トラップの第１の実施形態について、添付図面を参照して説明する。図１は、本実施形態に係る排水トラップ１の縦断面図である。
【００２１】
この排水トラップ１は、トラップ本体２と、このトラップ本体を洗い場の床パンに取設するための取付フランジ６と、封水を形成するための封水筒７とをその主要な構成要素とする。
【００２２】
これらの中、トラップ本体２は、合成樹脂等で成型され、上部が開口する略碗状のトラップ主要部３と、このトラップ主要部３と同材で成型された蓋部４との２部材を溶着させて一体に形成される。蓋部４には、その開口する内端に、雌ねじが螺刻された雌ねじ部４ａが設けられる。
【００２３】
トラップ本体２には、下部側中央に所定高さの溜水室ＷＲが形成されるとともに、この溜水室ＷＲの下部に連通するように、浴槽からの排水を集める流入管１０が接続される浴槽排水取水部２ａが形成されている。浴槽排水取水部２ａには、流入する水流を略下方に折曲すべく上方に閉じた整流部材８が、溜水室ＷＲ内へ突出して設けられる。
【００２４】
また、トラップ本体２には、溜水室ＷＲの上方側と連通するように、トラップ排水部２ｂが形成され、排水トラップ１の排水を外部へ導出する排水管（図示せず）が接続されている。
【００２５】
トラップ排水部２ｂが開口されたトラップ本体側面は、トラップ排水部２ｂの略下半まで立ち上げられ、溜水室ＷＲの封水高さを形成する隔壁２ｃを構成する。
【００２６】
他方、取付フランジ６は、トラップ本体２の蓋部４の雌ねじと螺合する雄ねじが螺刻された雄ねじ部６ａと、この雄ねじ部６ａ上端から外方へ延出するフランジ部６ｂとを有する。
【００２７】
そして、封水筒７は、上下が解放された筒状部７ａと、この筒状部７ａ上端から外方へ延出する環状部７ｂとを有する。筒状部７ａと環状部７ｂとの接続部は、図２にその詳細を示すように、環状部７ｂ上面より段落ちして平坦面７ｃが形成され、ここにヘアキャッチャ９の外縁が載置される。
【００２８】
このトラップ本体２と取付フランジ６は、蓋部４の雌ねじ部４ａと取付フランジ６の雄ねじ部６ａとを螺合させることによって一体化される。
【００２９】
これに対し、封水筒７は、その筒状部７ａをトラップ本体２の蓋部４に開口された取水口に挿入して、取付フランジ６のフランジ部６ａに、封水筒７の環状部７ｂを載置させて着脱自在に取設される。
【００３０】
このように、本実施形態に係る封水筒７の環状部７ｂ及び取付フランジ６のフランジ部６ａは、トラップ本体２の開口の内側に突出して上下に配設され、本発明の鍔部を構成する。
【００３１】
ヘアキャッチャ９は、図３に示すように、封水筒７の環状部７ｂ頂部に載置される外環部９ａ内に、網部９ｂが形成され、網部９ｂの中央部には、円筒状の内環部９ｃが立ち上がっている。
【００３２】
また、ヘアキャッチャ９は、取り外しのための取っ手部９ｄを備え、この取っ手部９ｄは、指で抓み易いように、外環部９ａ上に外方へ指向する略涙の形状を有する板材で形成される。
【００３３】
封水筒７の環状部７ｂ上面には、上方側且つ内方側に向けて突出した突起部７ｄが、封水筒７の直径方向の対向位置に二つ立設される。この二つの突起部７ｄにおける下端側の最短距離は、封水筒７の環状部７ｂの内径と略等しく、したがって、ヘァキャッチャ９の直径以上の長さで離間している。また、二つの突起部７ｄにおける上端側は、下端側より内方側に突出するので、その最短距離は、ヘアキャッチャ９の直径未満の長さとなっている。また、突起部７ｄの上端側は、取っ手部９ｄの底面より下方側に配置される。
【００３４】
この突起部７ｄは、封水筒７を取付フランジ６内に配設させる際の手がかりとなるとともに、ヘアキャッチャ９を所定の位置に取り付ける際のガイドの役割を果たすものである。
【００３５】
このように、本実施形態に係る排水トラップの封水筒７表面及びヘアキャッチャ９裏面には、突起や欠切部がないので、ごみが付着することもなく、清掃が容易になる。
【００３６】
本実施形態に係る排水トラップ１は上記のように構成されており、以下ヘアャッチャの取付手順について、図４を参照して説明する。
まず、図４（ａ）に示すように、ヘアキャッチャの取っ手部９ｄを指で抓んで、封水筒７の二つの突起部７ｄを結ぶ直線に対して略直交する方向において、斜め上方から挿入する。
【００３７】
そして、図４（ｂ）に示すように、ヘアキャッチャ９を、その挿入角度を小さくしつつ、二つの突起部７ｄの下端内側を通過しながら前方へスライドさせていくと、最終的には、図４（ｃ）に示すように、ヘアキャッチャ９の外環部９ａが封水筒７の平坦面７ｃに載置されて、取付が完了する。
【００３８】
このようにヘアキャッチャ９が取り付けられると、図５に示すように、浴槽からの排水等により排水トラップ１内の水位が上がっても、ヘアキャッチャ９は、封水筒７の二つの突起部７ｄの上端間の距離は、ヘアキャッチャ９の直径未満の長さとなっているので、ヘアキャッチャ９は、突起部７ｄの上端間に係止され、浮遊することはない。
【００３９】
また、取っ手部９ｄの底面は、突起部７ｄの上端側より下方側に配置されるので、ヘアキャッチャ９をスライドさせる際に、図６に示すように、ヘアキャッチャ９が行き過ぎて外れることもない。
【００４０】
なお、この取っ手部９ｄの底面を突起部７ｄの上端側より下方側に配置することに代えて、或いは加えて、図７に示すように、ヘアキャッチャ９の外環部９ａの、取っ手部９ｄが突設された位置と対向する位置の底面に、ストッパー９ｅを設けることにより、ヘアキャッチャ９の行き過ぎを防止する構成とすることもできる。
【００４１】
このように、ヘアキャッチャ９を取り付けるには、取っ手部９ｄを指で抓んで斜め下方向に落とし込むだけでよい。従来型のヘアキャッチャのように回動させる必要がないため、余分な力を加えなくてもよいので、大きな手掛かり部も不要となる。
【００４２】
他方、ヘアキャッチャ９を取り外すには、上述した手順とは逆に、取っ手部９ｄを指で抓んで斜め上方向に持ち上げるだけでよい。従来型のヘアキャッチャのように回動させる必要がないため、余分な力を加えなくてもよいので、大きな手掛かり部も不要となる。
【００４３】
次に、本発明に係る排水トラップの他の実施形態について、図を参照して説明する。図８は、本発明に係る排水トラップの第２の実施形態を示すものである。
【００４４】
本実施の形態の排水トラップ１Ａは、同図に示すように、取付フランジ６は、雄ねじ部６ａ下端近傍から内方へ延出する掛止部６ｃを備え、封水筒７は、この掛止部６ｃに掛止配置される。したがって、封水筒７の環状部７ｂは、取付フランジ６のフランジ部６ｂより内側に位置し、本実施形態における鍔部は、取付フランジ６と封水筒７とが略並置された形状となる。
【００４５】
また、平坦面６ｄは、第１の実施形態におけるものと異なり、取付フランジ６に設けられ、ヘアキャッチャ９の外環部９ａもこの平坦面６ｄ上に載置される。
【００４６】
さらに、突起部６ｅが封水筒７にではなく、取付フランジ６に設けられる点でも、第１の実施形態に係る排水トラップ１と異なる。他の構成は第１の実施形態と実質的に同じであり、同じ符号を付して説明を省略する。
【００４７】
斯かる構成においても、ヘアキャッチャ９を取り付けるには、取っ手部９ｄを指で抓んで斜め下方向に落とし込むだけでよく、ヘアキャッチャ９を取り外すには、取っ手部９ｄを指で抓んで斜め上方向に持ち上げるだけでよい。したがって、第１の実施形態に係る排水トラップ１と同様の効果を得ることができる。
【００４８】
次に、本発明に係る排水トラップの第３の実施形態について、図９を参照して説明する。
【００４９】
本実施の形態の排水トラップ１Ｂは、同図に示すように、平坦面７ｃが封水筒７の環状部７ｂに設けられ、ヘアキャッチャ９の外環部９ａもこの平坦面７ｃ上に載置される点で、第２の実施形態におけるものと基本的に相違し、他の構成は第２の実施形態と実質的に同じであり、同じ符号を付して説明を省略する。
【００５０】
斯かる構成においても、ヘアキャッチャ９を取り付けるには、取っ手部９ｄを指で抓んで斜め下方向に落とし込むだけでよく、ヘアキャッチャ９を取り外すには、取っ手部９ｄを指で抓んで斜め上方向に持ち上げるだけでよい。したがって、第１の実施形態に係る排水トラップ１と同様の効果を得ることができる。
【００５１】
続いて、本発明に係る排水トラップの第４の実施形態について、図１０を参照して説明する。
【００５２】
本実施の形態の排水トラップ１Ｃは、同図に示すように、取付フランジ６は、雄ねじ部６ａ下端近傍から内方へ延出する掛止部６ｃを備え、封水筒７は、この掛止部６ｃに掛止配置される点で、第１の実施形態におけるものと基本的に相違し、他の構成は第１の実施形態と実質的に同じであり、同じ符号を付して説明を省略する。
【００５３】
斯かる構成においても、ヘアキャッチャ９を取り付けるには、取っ手部９ｄを指で抓んで斜め下方向に落とし込むだけでよく、ヘアキャッチャ９を取り外すには、取っ手部９ｄを指で抓んで斜め上方向に持ち上げるだけでよい。したがって、第１の実施形態に係る排水トラップ１と同様の効果を得ることができる。
【００５４】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００５５】
【図１】本発明に係る排水トラップの第１の実施形態を示す縦断面図。
【図２】図１の部分拡大図。
【図３】本実施形態に係る排水トラップの部分斜視図。
【図４】本実施形態に係る排水トラップのヘアキャッチャ取付手順を示す図。
【図５】ヘアキャッチャと封水筒の突起部との関係を示す図。
【図６】ヘアキャッチャ取付時において、ヘアキャッチャが行き過ぎた状態を示す図。
【図７】本実施形態に係る排水トラップの変形例を示し図。
【図８】本発明に係る排水トラップの第２の実施形態を示す部分縦断面図。
【図９】本発明に係る排水トラップの第３の実施形態を示す部分縦断面図。
【図１０】本発明に係る排水トラップの第４の実施形態を示す部分縦断面図。
【符号の説明】
【００５６】
１，１Ａ，１Ｂ，１Ｃ  排水トラップ
２  トラップ本体
２ａ  浴槽排水取水部
２ｂ  トラップ排水部
２ｃ  隔壁
３  トラップ主要部
４  蓋部
６  取付フランジ
６ａ  雄ねじ部
６ｂ  フランジ部
６ｃ  掛止部
６ｄ  平坦面
６ｅ  突起部
７  封水筒
７ａ  筒状部
７ｂ  環状部
７ｃ  平坦面
７ｄ  突起部
８  整流部材
９  ヘアキャッチャ
９ａ  外環部
９ｂ  網部
９ｃ  内環部
９ｄ  取っ手部
９ｅ  ストッパー
１０  流入管
ＷＲ  溜水室
【図１】
0005104209.tif 000002
【図２】
0005104209.tif 000003
【図３】
0005104209.tif 000004
【図４】
0005104209.tif 000005
【図５】
0005104209.tif 000006
【図６】
0005104209.tif 000007
【図７】
0005104209.tif 000008
【図８】
0005104209.tif 000009
【図９】
0005104209.tif 000010
【図１０】
0005104209.tif 000011